【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
第１の基板および第２の基板と、
該第１の基板と該第２の基板との間に配置された液晶層と、
複数の画素と、
を含む液晶デバイスであって、
該複数の画素の各々が、
該第１の基板上に配置された第１の電極と、
該第１の基板に対応する該第１の電極から電気的に絶縁され、且つ、該第１の電極上に配置された第２の電極であって、該画素内の面内電場を減少させるように動作する第２の電極と、
該第２の基板上に配置された第３の電極とを含み、
該第２の電極は、該第1の電極と該第３の電極との間の照準線を部分的に覆い隠すのみの形状および位置であり、これにより、該画素内の電場は、強度が変化し、該第１および第２の電極に実質的に垂直である、液晶デバイス。
【請求項２】
前記複数の画素の各々において、前記第２の電極が複数の横方向に間隔を空けた第２の電極を含み、該第２の電極の少なくとも１つが前記第３の電極に電気的に接続される、請求項１に記載の液晶デバイス。
【請求項３】
前記複数の第２の電極が電気的に一体に接続される、請求項２に記載の液晶デバイス。
【請求項４】
前記複数の画素の各々において、前記第２の電極が、接地電位に電気的に接続された複数の横方向に間隔を空けた第２の電極を含む、請求項１に記載の液晶デバイス。
【請求項５】
前記複数の画素がレギュラーアレイに配列され、該複数の画素の各々において、前記第２の電極が複数の横方向に間隔を空けた第２の電極を含み、該デバイスが、他の行または列の画素から独立して、画素のレギュラーアレイの行または列に対応する第２の電極にアドレスするためのアドレシング手段を更に含む、請求項１に記載の液晶デバイス。
【請求項６】
前記複数の画素がレギュラーアレイとして配列される、請求項１に記載の液晶デバイス。
【請求項７】
前記複数の画素の各々において、前記第２の電極がストライプ状の実質的に平行な電極を含む、請求項１に記載の液晶デバイス。
【請求項８】
前記第２の電極の前記ストライプ状の実質的に平行な電極が、実質的に均一に間隔を空けて離される、請求項７に記載の液晶デバイス。
【請求項９】
第３の電極の各々が一列の画素に沿って延び、且つ、一列の画素に共通であり、第１の電極の各々が一行の画素に沿って延び、且つ、一行の画素に共通であり、それにより、パッシブマトリクスアドレシング配列を形成する、請求項１に記載の液晶デバイス。
【請求項１０】
前記複数の画素の各々において、前記第２の電極が、それぞれが前記第１または第３の電極に対して実質的に平行に延びる複数の横方向に間隔を空けた第２の電極含む、請求項９に記載の液晶デバイス。
【請求項１１】
前記複数の画素の各々において、前記第２の電極が、それぞれが前記第１の電極に対して実質的に４５°の角度で延びる複数の横方向に間隔を空けた第２の電極含む、請求項９に記載の液晶デバイス。
【請求項１２】
前記第３の電極が全ての画素に共通であり、前記第１の電極の各々がアクティブ非線形デバイスに接続された画素電極を含み、それにより、アクティブマトリクスアドレシング配列を形成する、請求項１に記載の液晶デバイス。
【請求項１３】
前記複数の画素が行および列に配列され、前記複数の画素の各々において、前記第２の電極が、それぞれが実質的に行または列の方向に延びる複数の横方向に間隔を空けた第２の電極を含む、請求項１２に記載の液晶デバイス。
【請求項１４】
前記複数の画素が行および列に配列され、前記複数の画素の各々において、前記第２の電極が、それぞれが行の方向に対して実質的に４５°の角度で延びる複数の横方向に間隔を空けた第２の電極含む、請求項１２に記載の液晶デバイス。
【請求項１５】
前記第２の電極が対応する画素の中央領域上を延び、複数の開口部が該第２の電極に提供される、請求項１に記載の液晶デバイス。
【請求項１６】
前記第２の電極が前記第３の電極に電気的に接続される、請求項１５に記載の液晶デバイス。
【請求項１７】
前記第２の電極が接地電位に電気的に接続される、請求項１５に記載の液晶デバイス。
【請求項１８】
他の画素の第２の電極から独立して、１つの画素の第２の電極にアドレスするためのアドレシング手段を更に含む、請求項１５に記載の液晶デバイス。
【請求項１９】
前記複数の画素がレギュラーアレイに配列される、請求項１５に記載の液晶デバイス。
【請求項２０】
前記複数の画素がレギュラーアレイに配列され、該デバイスが、他の行または列の画素から独立して、画素のレギュラーアレイの行または列に対応する第２の電極にアドレスするためのアドレシング手段を更に含む、請求項１５に記載の液晶デバイス。
【請求項２１】
前記第２の電極が対応する画素の実質的に全領域上を延びる、請求項１５に記載の液晶デバイス。
【請求項２２】
前記第３の電極の各々が一列の画素に沿って延び、且つ、一列の画素に共通であり、前記第１の電極の各々が一行の画素に沿って延び、且つ、一行の画素に共通であり、それにより、パッシブマトリクスアドレシング配列を形成する、請求項１５に記載の液晶デバイス。
【請求項２３】
前記第３の電極が全ての画素に共通であり、前記第１の電極の各々がアクティブ非線形デバイスに接続された画素電極を含み、それにより、アクティブマトリクスアドレシング配列を形成する、請求項１５に記載の液晶デバイス。
【請求項２４】
前記第２の電極上に配置された第１の電気的絶縁層を更に含む、請求項１に記載の液晶デバイス。
【請求項２５】
前記第２の電極が透明であり、前記第１の電気的絶縁層の屈折率が該第２の電極の屈折率に実質的に等しい、請求項２４に記載の液晶デバイス。
【請求項２６】
前記第１の電極と前記第２の電極との間に配置された第１の電気的絶縁層を更に含む、請求項１に記載の液晶デバイス。
【請求項２７】
前記第１の電気的絶縁層が、前記第２の電極の屈折率に実質的に等しい屈折率を有する、請求項２６に記載の液晶デバイス。
【請求項２８】
前記複数の画素の各々において、前記第２の電極が複数の横方向に間隔を空けた第２の電極を含み、前記デバイスが該第２の電極上に配置された第１の電気的絶縁層を更に含み、該第１の電気的絶縁層の屈折率が該第２の電極の屈折率に実質的に等しい、請求項１に記載の液晶デバイス。
【請求項２９】
前記第２の電極が対応する画素の中央領域上を延び、複数の開口部が該第２の電極に提供され、前記デバイスが該第２の電極上に配置された第１の電気的絶縁層を更に含み、該第１の電気的絶縁層の屈折率が該第２の電極の屈折率に実質的に等しい、請求項１に記載の液晶デバイス。
【請求項３０】
前記第２の電極が対応する画素の実質的に全領域上を延びる、請求項２９に記載の液晶デバイス。
【請求項３１】
前記第２の電極が透明であり、前記第１の電気的絶縁層が平坦化される、請求項２４に記載の液晶デバイス。
【請求項３２】
前記第２の電極が透明であり、前記第１の電気的絶縁層が平坦化される、請求項２８に記載の液晶デバイス。
【請求項３３】
前記第２の電極が透明であり、前記第１の電気的絶縁層が平坦化される、請求項２９に記載の液晶デバイス。
【請求項３４】
前記第１の基板上に配置された波長板を更に含む、請求項１に記載の液晶デバイス。
【請求項３５】
前記波長板が前記第１の電極と前記第２の電極との間に配置された第１の電気的絶縁層を含む、請求項３４に記載の液晶デバイス。
【請求項３６】
前記波長板が、前記第２の電極上に配置された第１の電気的絶縁層を含む、請求項３４に記載の液晶デバイス。
【請求項３７】
前記第１の基板上に配置された反射体を含む、請求項１に記載の液晶デバイス。
【請求項３８】
前記反射体が誘電性の反射体を含む、請求項３７に記載の液晶デバイス。
【請求項３９】
前記反射体が前記第１の電極を含む、請求項３７に記載の液晶デバイス。
【請求項４０】
前記反射体が前記第２の電極を含む、請求項３７に記載の液晶デバイス。
【請求項４１】
前記第１の基板上に配置された反射体を更に含み、該反射体が前記第２の電極を含み、前記第１の電気的絶縁層の厚さが（２ｍ＋１）λ／２ｎに実質的に等しく、ｍがゼロより大きいまたはゼロに等しい整数であり、λが光放射の波長であり、ｎが該第１の電気的絶縁層の屈折率である、請求項２６に記載の液晶デバイス。
【請求項４２】
前記第１の電気的絶縁層が厚さｄ2および屈折率ｎ2を有し、
該第１の電極が屈折率ｎ1を有する第２の電気的絶縁材料によって覆われ、基板に対応する上部表面が少なくとも該第１の電気的絶縁層の上部表面と同じ高さであり、
該第１の電気的絶縁層の上部表面から該第１の電極までの深さｄ1がｎ1ｄ1＝ｎ2ｄ2を満たし、
該第１の電極および該第２の電極が反射電極である、
請求項２４に記載の液晶デバイス。
【請求項４３】
前記第１の電気的絶縁層が厚さｄ2および屈折率ｎ2を有し、
該第１の電極が屈折率ｎ1を有する第２の電気的絶縁材料によって覆われ、基板に対応する上部表面が少なくとも該第１の電気的絶縁層の上部表面と同じ高さであり、
該第１の電気的絶縁層の上部表面から該第１の電極までの深さｄ1がｎ1ｄ1＝ｎ2ｄ2を満たし、
該第１の電極および該第２の電極が反射電極である、
請求項２８に記載の液晶デバイス。
【請求項４４】
前記第１の電気的絶縁層が厚さｄ2および屈折率ｎ2を有し、
該第１の電極が屈折率ｎ1を有する第２の電気的絶縁材料によって覆われ、基板に対応する上部表面が少なくとも該第１の電気的絶縁層の上部表面と同じ高さであり、
該第１の電気的絶縁層の上部表面から該第１の電極までの深さｄ1がｎ1ｄ1＝ｎ2ｄ2を満たし、
該第１の電極および該第２の電極が反射電極である、
請求項２９に記載の液晶デバイス。
【請求項４５】
前記第２の電気的絶縁材料が前記第１の電気的絶縁層上に配置される、請求項４２に記載の液晶デバイス。
【請求項４６】
前記第２の電気的絶縁材料が前記第１の電気的絶縁層上に配置される、請求項４３に記載の液晶デバイス。
【請求項４７】
前記第２の電気的絶縁材料が前記第１の電気的絶縁層上に配置される、請求項４４に記載の液晶デバイス。
【請求項４８】
前記第１の基板に対応する前記第１の電極の間のギャップの下に配置された反射電極を更に含み、
第１の電極および反射電極が屈折率ｎを有する電気的絶縁材料内に配置され、該反射電極が該第１の電極の下の（２ｍ＋１）λ／２ｎに実質的に等しい深さに配置され、
ｍがゼロより大きいまたはゼロに等しい整数であり、λが光放射の波長である、
請求項３９に記載の液晶デバイス。
【請求項４９】
前記第１の電極の間のギャップ上に配置された前記第２の電極が反射型であり、該第１の電極の間のギャップ上に配置されない前記第２の電極が透明であり、
該第１の電極と該第２の電極との間に配置された前記第１の電気的絶縁層が（ｍ＋１）λ／２ｎに実質的に等しい厚さを有し、ｍがゼロより大きいまたはゼロに等しい整数であり、λが光放射の波長、ｎが該第１の電気的絶縁層の屈折率である、
請求項３９に記載の液晶デバイス。
【請求項５０】
前記波長λが５５０ナノメートルに実質的に等しい、請求項４１に記載の液晶デバイス。
【請求項５１】
前記波長λが５５０ナノメートルに実質的に等しい、請求項４８に記載の液晶デバイス。
【請求項５２】
前記波長λが５５０ナノメートルに実質的に等しい、請求項４９に記載の液晶デバイス。
【請求項５３】
第２の電極が、画素の各々に提供された複数の透明な第２の電極を含み、
前記第１の電極が反射型であり、
複数の位相補償部材が、第２の電極間のギャップに対する位置決めを行って該第１の電極上に配置され、該位相補償部材によって誘引される光学位相差が、該第２の電極によって誘引される光学位相差に実質的に等しい、
請求項１に記載の液晶デバイス。
【請求項５４】
前記位相補償部材が前記第１の電極上に配置される、請求項５３に記載の液晶デバイス。
【請求項５５】
前記第１の基板上に配置された反射体をさらに有し、該反射体は前記第２の電極を有し、前記第１の電気的絶縁層の厚さが（２ｍ＋１）λ／２ｎに実質的に等しく、ｍがゼロより大きいかまたはゼロに等しい整数であり、λが光放射波長であり、ｎが該第１の電気的絶縁層の屈折率であり、前記第１の電極および該第２の電極は反射電極である、請求項２６に記載の液晶デバイス。
【請求項５６】
前記複数の画素の各々において、前記第１の電極は、概して、該画素の開口部を越えて連続的である、請求項１に記載の液晶デバイス。
【請求項５７】
前記複数の画素の各々において、前記第２の電極は、前記画素の開口部を越えて概して均一に分配された複数のギャップまたは開口部を含む、請求項５６に記載の液晶デバイス。
【請求項５８】
前記複数の画素の各々において、前記第２の電極は、第１の電極に関連して構成され、複数の概して離散的な電場群を生じ、該概して離散的な電場群は、前記第１の基板と前記第２の基板との間に概して垂直にのびる、請求項１に記載の液晶デバイス。
【請求項５９】
前記複数の画素の各々において、前記第２の電極は、前記第１の電極に関連して構成され、前記電場群間の面内電場を最小化する、請求項５８に記載の液晶デバイス。
【請求項６０】
前記複数の画素の各々は、単位相回折モードと非回折モードとの間で切り替え可能である、請求項１に記載の液晶デバイス。
【請求項６１】
第１の基板および第２の基板と、
該第１の基板と該第２の基板との間に配置された液晶層と、
複数の画素と、
を含む液晶デバイスであって、
該複数の画素の各々が、
該第１の基板上に配置された第１の電極と、
該第１の基板に対応する該第１の電極から電気的に絶縁され、且つ、該第１の電極上に配置された第２の電極と、
該第２の基板上に配置された第３の電極と
を含み、
該第２の電極は、該第1の電極と該第３の電極との間の照準線を部分的に覆い隠すのみの形状および位置であり、これにより、該画素内の電場は、強度が変化し、該第１および第２の電極に実質的に垂直である、液晶デバイス。
【請求項６２】
前記複数の画素の各々において、前記第１の電極は、該画素の開口部を越えて概して連続的である、請求項６１に記載の液晶デバイス。
【請求項６３】
前記複数の画素の各々において、前記第２の電極は、該画素の開口部を越えて概して均一に分散された複数のギャップまたは開口部を含む、請求項６２に記載の液晶デバイス。
【請求項６４】
前記複数の画素の各々において、前記第２の電極は、前記第１の電極に関連して構成され、複数の概して離散的な電場群を生じ、該各概して離散的な電場群は、該第１の電極と第２の基板との間に概して垂直にのびる、請求項６１に記載の液晶デバイス。
【請求項６５】
前記複数の画素の各々において、前記第２の電極は、該第１の電極と関連して構成され、前記電場群間の面内電場を最小化する、請求項６４に記載の液晶デバイス。
【請求項６６】
前記各画素は、単位相回折モードと非回折モードとの間で切り替え可能である、請求項６１に記載の液晶デバイス。
【手続補正２】
【補正対象書類名】明細書
【補正対象項目名】００１１
【補正方法】変更
【補正の内容】
【００１１】
【課題を解決するための手段】
本発明による液晶デバイスは、第１の基板および第２の基板と、該第１の基板と該第２の基板との間に配置された液晶層と、複数の画素と、を含む液晶デバイスであって、該複数の画素の各々が、該第１の基板上に配置された第１の電極と、該第１の基板に対応する該第１の電極から電気的に絶縁され、且つ、該第１の電極上に配置された第２の電極であって、該画素内の面内電場を減少させるように動作する第２の電極と、該第２の基板上に配置された第３の電極とを含み、該第２の電極は、該第1の電極と該第３の電極との間の照準線を部分的に覆い隠すのみの形状および位置であり、これにより、該画素内の電場は、強度が変化し、該第１および第２の電極に実質的に垂直であり、このことにより、上記の目的が達成される。


【手続補正３】
【補正対象書類名】明細書
【補正対象項目名】００３６
【補正方法】変更
【補正の内容】
【００３６】
前記第１の電極と前記第２の電極との間に配置された第１の電気的絶縁層を更に含んでもよい。


【手続補正４】
【補正対象書類名】明細書
【補正対象項目名】００３７
【補正方法】変更
【補正の内容】
【００３７】
前記第１の電気的絶縁層が、前記第２の電極の屈折率に実質的に等しい屈折率を有してもよい。


【手続補正５】
【補正対象書類名】明細書
【補正対象項目名】００４５
【補正方法】変更
【補正の内容】
【００４５】
前記波長板が前記第１の電極と前記第２の電極との間に配置された第１の電気的絶縁層を含んでもよい。


【手続補正６】
【補正対象書類名】明細書
【補正対象項目名】００５１
【補正方法】変更
【補正の内容】
【００５１】
前記第１の基板上に配置された反射体を更に含み、該反射体が前記第２の電極を含み、前記第１の電気的絶縁層の厚さが（２ｍ＋１）λ／２ｎに実質的に等しく、ｍがゼロより大きいまたはゼロに等しい整数であり、λが光放射の波長であり、ｎが該第１の電気的絶縁層の屈折率であってもよい。


【手続補正７】
【補正対象書類名】明細書
【補正対象項目名】００５２
【補正方法】変更
【補正の内容】
【００５２】
前記第１の電気的絶縁層が厚さｄ2および屈折率ｎ2を有し、該第１の電極が屈折率ｎ1を有する第２の電気的絶縁材料によって覆われ、基板に対応する上部表面が少なくとも該第１の電気的絶縁層の上部表面と同じ高さであり、該第１の電気的絶縁層の上部表面から該第１の電極までの深さｄ1がｎ1ｄ1＝ｎ2ｄ2を満たし、該第１の電極および該第２の電極が反射電極であってもよい。


【手続補正８】
【補正対象書類名】明細書
【補正対象項目名】００５３
【補正方法】変更
【補正の内容】
【００５３】
前記第１の電気的絶縁層が厚さｄ2および屈折率ｎ2を有し、該第１の電極が屈折率ｎ1を有する第２の電気的絶縁材料によって覆われ、基板に対応する上部表面が少なくとも該第１の電気的絶縁層の上部表面と同じ高さであり、該第１の電気的絶縁層の上部表面から該第１の電極までの深さｄ1がｎ1ｄ1＝ｎ2ｄ2を満たし、該第１の電極および該第２の電極が反射電極であってもよい。


【手続補正９】
【補正対象書類名】明細書
【補正対象項目名】００５４
【補正方法】変更
【補正の内容】
【００５４】
前記第１の電気的絶縁層が厚さｄ2および屈折率ｎ2を有し、該第１の電極が屈折率ｎ1を有する第２の電気的絶縁材料によって覆われ、基板に対応する上部表面が少なくとも該第１の電気的絶縁層の上部表面と同じ高さであり、該第１の電気的絶縁層の上部表面から該第１の電極までの深さｄ1がｎ1ｄ1＝ｎ2ｄ2を満たし、該第１の電極および該第２の電極が反射電極であってもよい。


【手続補正１０】
【補正対象書類名】明細書
【補正対象項目名】００５５
【補正方法】変更
【補正の内容】
【００５５】
前記第２の電気的絶縁材料が前記第１の電気的絶縁層上に配置されてもよい。


【手続補正１１】
【補正対象書類名】明細書
【補正対象項目名】００５６
【補正方法】変更
【補正の内容】
【００５６】
前記第２の電気的絶縁材料が前記第１の電気的絶縁層上に配置されてもよい。


【手続補正１２】
【補正対象書類名】明細書
【補正対象項目名】００５７
【補正方法】変更
【補正の内容】
【００５７】
前記第２の電気的絶縁材料が前記第１の電気的絶縁層上に配置されてもよい。


【手続補正１３】
【補正対象書類名】明細書
【補正対象項目名】００５９
【補正方法】変更
【補正の内容】
【００５９】
前記第１の電極の間のギャップ上に配置された前記第２の電極が反射型であり、該第１の電極の間のギャップ上に配置されない前記第２の電極が透明であり、該第１の電極と該第２の電極との間に配置された前記第１の電気的絶縁層が（ｍ＋１）λ／２ｎに実質的に等しい厚さを有し、ｍがゼロより大きいまたはゼロに等しい整数であり、λが光放射の波長、ｎが該第１の電気的絶縁層の屈折率であってもよい。


【手続補正１４】
【補正対象書類名】明細書
【補正対象項目名】００６５
【補正方法】変更
【補正の内容】
【００６５】
前記第１の基板上に配置された反射体をさらに有し、該反射体は前記第２の電極を有し、前記第１の電気的絶縁層の厚さが（２ｍ＋１）λ／２ｎに実質的に等しく、ｍがゼロより大きいかまたはゼロに等しい整数であり、λが光放射波長であり、ｎが該第１の電気的絶縁層の屈折率であり、前記第１の電極および該第２の電極は反射電極であってもよい。
前記複数の画素の各々において、前記第１の電極は、概して、該画素の開口部を越えて連続的であってもよい。
前記複数の画素の各々において、前記第２の電極は、前記画素の開口部を越えて概して均一に分配された複数のギャップまたは開口部を含んでもよい。
前記複数の画素の各々において、前記第２の電極は、第１の電極に関連して構成され、複数の概して離散的な電場群を生じ、該概して離散的な電場群は、前記第１の基板と前記第２の基板との間に概して垂直にのびてもよい。
前記複数の画素の各々において、前記第２の電極は、前記第１の電極に関連して構成され、前記電場群間の面内電場を最小化してもよい。
前記複数の画素の各々は、単位相回折モードと非回折モードとの間で切り替え可能であってもよい。
本発明による液晶デバイスは、第１の基板および第２の基板と、該第１の基板と該第２の基板との間に配置された液晶層と、複数の画素と、を含む液晶デバイスであって、該複数の画素の各々が、該第１の基板上に配置された第１の電極と、該第１の基板に対応する該第１の電極から電気的に絶縁され、且つ、該第１の電極上に配置された第２の電極と、該第２の基板上に配置された第３の電極とを含み、該第２の電極は、該第1の電極と該第３の電極との間の照準線を部分的に覆い隠すのみの形状および位置であり、これにより、該画素内の電場は、強度が変化し、該第１および第２の電極に実質的に垂直であり、これにより、上記目的を達成する。
前記複数の画素の各々において、前記第１の電極は、該画素の開口部を越えて概して連続的であってもよい。
前記複数の画素の各々において、前記第２の電極は、該画素の開口部を越えて概して均一に分散された複数のギャップまたは開口部を含んでもよい。
前記複数の画素の各々において、前記第２の電極は、前記第１の電極に関連して構成され、複数の概して離散的な電場群を生じ、該各概して離散的な電場群は、該第１の電極と第２の基板との間に概して垂直にのびてもよい。
前記複数の画素の各々において、前記第２の電極は、該第１の電極と関連して構成され、前記電場群間の面内電場を最小化してもよい。
前記各画素は、単位相回折モードと非回折モードとの間で切り替え可能であってもよい。